(57)【特許請求の範囲】
【請求項１】
ケースに対するロータの回転を規制する回転規制部材と、ロータに挿入することにより回転規制部材による規制を解除する板鍵と、ロータの回転を抽出して電気回路の接点を開閉するスイッチ機構と、を備えた鍵スイッチにおいて、
板鍵の挿脱方向に直交する方向に移動自在にされ、板鍵の中間部に係合してロータからの板鍵の抜脱を規制する抜脱規制部材であって、ロータの複数の回転位置を含む所定の回転範囲に対応する角度範囲に円弧状部分を有する抜脱規制部材をロータ内に収納するとともに、抜脱規制部材を板鍵の中間部に係合する方向に付勢する付勢手段と、
前記所定の回転範囲内で抜脱規制部材の円弧状部分の一部を押圧して、抜脱規制部材を板鍵との係合状態を解除する方向に移動させる動作を選択的に行う単一の規制解除手段と、を設けたことを特徴とする鍵スイッチ。
【発明の詳細な説明】
【０００１】
【産業上の利用分野】
この発明は、ロータに挿入された板鍵の回転により電気回路の接点を開閉する鍵スイッチに関する。
【０００２】
【従来の技術】
立体駐車場における車両用ゴンドラの移動や倉庫における扉の開閉を操作する操作盤では、特定の者以外による操作を禁止する必要があるため、鍵スイッチが使用される。この鍵スイッチは、操作盤に備えられたシリンダ錠のロータの回転を抽出して電気回路の接点を開閉する。シリンダ錠のロータは、適合する板鍵が挿入された場合にのみ回転させることができるため、シリンダ錠に適合する板鍵を所持する特定の者のみが、操作盤においてスイッチ操作することができる。
【０００３】
ところが、車両用ゴンドラの移動や倉庫における扉の開閉が完全に完了していない状態で鍵スイッチから板鍵が抜き取られて鍵スイッチの操作が終了されてしまうと、車両用ゴンドラ等の装置を正確に動作させることができなくなる。
【０００４】
また、板鍵を所持していた特定の者が、操作後に板鍵を鍵スイッチから抜き忘れる場合があり、立体駐車場における車両用ゴンドラの移動や倉庫における扉の開閉を操作する操作盤のように、屋外に設置された操作盤において板鍵を抜き忘れると、他人に板鍵を持ち去ることが考えられ、特定の者以外による操作を禁止することができなくなる。
【０００５】
そこで、従来の鍵スイッチでは、図９に示すように、鍵スイッチ９１にソレノイド９２を一体的に取り付け、このソレノイド９２のプランジャ９３が、ロータ９４に挿入された板鍵９５の中間部に係合するようにし、ロータ９４から板鍵９５を抜けないようにすることができるようにしたものがあった。図９に示すような鍵スイッチを用いる場合には、一定時間だけソレノイド９２を駆動してプランジャ９３を退避させることにより、この間に板鍵９５を抜き取ることができ、一定時間が経過した後にはプランジャ９３が板鍵９５に係合し、抜き忘れられた板鍵９５の盗難を防止することができる。
【０００６】
【発明が解決しようとする課題】
しかしながら、図９に示す従来の鍵スイッチでは、ソレノイドのプランジャを板鍵に係合させるようにした構成であるため、ロータの複数の回転位置で板鍵の抜き取りの規制を解除する必要がある場合には、抜き取りの規制を解除する位置毎にソレノイドを設ける必要があり、鍵スイッチのコストが上昇するだけでなく、操作盤等に対する鍵スイッチの取り付けスペースの大型化を招く問題がある。また、ロータの回転位置においてロータ内で板鍵の鍵山に係合するタンブラの移動を規制することによってもロータからの板鍵の抜脱を規制することができるが、鍵山との当接によりタンブラに磨耗や変形を生じ、板鍵の形状に整合しなくなって鍵スイッチを操作できなくなる場合があり、鍵山に係合するタンブラ以外の部材によって板鍵の抜き取りを規制することが望ましい。
【０００７】
この発明の目的は、単一のソレノイドによってロータの複数の回転位置において板鍵の抜き取りを規制および規制解除することができ、コストダウンおよび小型化を実現できる鍵スイッチを提供することにある。
【０００８】
【課題を解決するための手段】
この発明は、ケースに対するロータの回転を規制する回転規制部材と、ロータに挿入することにより回転規制部材による規制を解除する板鍵と、ロータの回転を抽出して電気回路の接点を開閉するスイッチ機構と、を備えた鍵スイッチにおいて、
板鍵の挿脱方向に直交する方向に移動自在にされ、板鍵の中間部に係合してロータからの板鍵の抜脱を規制する抜脱規制部材であって、ロータの複数の回転位置を含む所定の回転範囲に対応する角度範囲に円弧状部分を有する抜脱規制部材をロータ内に収納するとともに、抜脱規制部材を板鍵の中間部に係合する方向に付勢する付勢手段と、
前記所定の回転範囲内で抜脱規制部材の円弧状部分の一部を押圧して、抜脱規制部材を板鍵との係合状態を解除する方向に移動させる動作を選択的に行う単一の規制解除手段と、を設けたことを特徴とする。
【０００９】
【作用】
この発明においては、板鍵の中間部に対して板鍵の挿脱方向に直交する方向に係合する抜脱規制部材、および、ロータの所定の回転範囲内で抜脱規制部材を板鍵との係合状態を解除する方向に移動させる規制解除手段が設けられている。したがって、ロータの所定範囲内で抜脱規制部材を板鍵との係合状態を解除する方向に選択的に移動させることにより、単一の規制解除手段によりロータの複数の回転位置において板鍵の抜脱制御が行われる。
【００１０】
【実施例】
図１および図２は、この発明の実施例である鍵スイッチの構成を示す側面断面図および平面断面図である。鍵スイッチは、前本体１ａおよび後本体１ｂからなる本体１と、この本体１の前面部に取り付けられるカバー２と、後本体１ｂの背面部に取り付けられるスイッチベース７と、によって外形が構成されている。前本体１ａおよびカバー２内にはロータ３が回転自在に収納されている。このロータ３内には、上下方向に移動自在にされるとともに、図外のスプリングにより下方に付勢された複数（本実施例では５個）のタンブラ４と、同じく上下方向に移動自在にされるとともに、図外のスプリングにより上方に付勢されたロックタンブラ５とが収納されている。
【００１１】
このように、前本体１ａの前面が、カバー２により被覆されているため、鍵スイッチはカバー２を介して操作パネルに取り付けられる。したがって、操作パネルの取付孔の形状に応じてカバー２のみを取り換えるだけで、鍵スイッチを異なる形状の取付孔を形成した操作パネルに簡単に取り付けることができる。
【００１２】
スイッチベース７には、マイクロスイッチ１１が取り付けられている。ロータ３の背面には取付ネジ１０を介してノッチカム８およびスイッチカム９が固定されている。ノッチカム８およびスイッチカム９はロータ３に伴って回転し、スイッチカム９がマイクロスイッチ１１のアクチュエータに当接してマイクロスイッチ１１を動作させる。また、後本体１ｂの下面にはソレノイド１４が取付られている。
【００１３】
ロータ３には、前面から板鍵１２が挿入される。板鍵１２の鍵山１２ａは、タンブラ４に係合し、タンブラ４を上方に押し上げる。タンブラ４の上側の長さに応じた鍵山１２ａを有する板鍵１２がロータ３内に挿入されると、タンブラ４は上下の端部において前本体１ａ内の空間４ａおよび４ｂに露出しなくなり、ロータ３を板鍵１２とともに回転させることができるようになる。
【００１４】
板鍵１２をロータ３内に挿入すると、板鍵１２の下面に形成された凹部１２ｂにロックタンブラ５が係合する。板鍵１２の凹部１２ｂにロックタンブラ５が係合した状態では、板鍵１２をロータ３から引き抜くことができない。このロックタンブラ５は、前述のように上方に付勢されているが、板鍵１２の挿入時には板鍵１２の先端の傾斜面による押圧を受けて一旦下方に移動し、板鍵１２がロータ３内に完全に挿入されたときに上方に移動する。このロックタンブラ５の上端には、ソレノイド１４のプランジャに係止したリセットプレート１３が対向している。
【００１５】
前本体１ａの上面には、リセットプレート１３の上面に対向する位置にネジ孔１５ａが形成されており、このネジ孔１５ａには、ネジ１５が螺合している。ネジ１５をネジ孔１５ａから取り外し、ネジ孔１５ａに棒状体を挿入してリセットプレート１３を押し下げることにより、ロックタンブラ５を下方に移動させて板鍵１２の凹部１２ａとの係合を外部から解除することができる。
【００１６】
図３は、上記鍵スイッチの図１におけるＸ−Ｘ位置の正面断面図である。ロータ３内においてロックタンブラ５は上下方向に移動自在にされており、スプリング５ａの弾性力により上方に付勢されている。ロックタンブラ５の上端にはリセットプレート１３の一端が対向している。このリセットプレート１３の他端は、ソレノイド１４のプランジャ１４ａに係止されている。ソレノイド１４を駆動していない状態ではリセットプレート１３は上方に退避しており、ロックタンブラ５は鍵孔５ｂの下縁において板鍵１２の凹部１２ｂに係合している。
【００１７】
なお、プランジャ１４ａと後本体１ｂとの間にはベローズ１４ｂが設けられており、また、図１に示すように、カバー２の前面において図外の操作パネルに当接する部分にはパッキン２１が、カバー２と前本体１ａとの間にはＯリング２５が、リセット用ネジ１５と前本体１ａとの間には防水パッキン２２が、前本体１ａと後本体１ｂとの間には防水パッキン２３が、ロータ３と後本体１ｂとの間には防水パッキン２４が、それぞれ設けられている。これらのプランジャ１４ａ、パッキン２１〜２４およびＯリング２５により、ロータ３の鍵穴およびカバー２と操作パネルとの間から操作パネル内に水分が侵入することを防止している。
【００１８】
また、ソレノイド１４のプランジャ１４ａの動作をリセットプレート１３を介してロックタンブラ５に伝達し、このロックタンブラ５が板鍵１２の凹部１２ａに係合するようにしているため、板鍵１２が無理に引き抜こうとした場合にもその力がロックタンブラ５に作用するだけでソレノイド１４に作用することがない。したがって、ソレノイド１４の故障を未然に防止することができる。
【００１９】
ソレノイド１４を駆動すると、図４に示すように、リセットプレート１３はプランジャ１４ａとともに下方に移動し、リセットプレート１３の一端がロックタンブラ５を下方に押圧する。この押圧によりロックタンブラ５はロータ３内を下方に移動し、ロックタンブラ５の鍵孔５ｂの下縁は、板鍵１２の凹部１２ｂに係合しなくなる。
【００２０】
ロックタンブラ５の上面５ｃは、ロータ３の回転範囲に対応する角度範囲で円弧状に形成されており、また、平行部５ｄは、ロータ３の溝部３ａに嵌入している。このことから、図５（Ａ）および（Ｂ）に示すように、ロータ３を中心位置から左右に所定の角度範囲で回転させた場合でも、リセットプレート１３の一端がロックタンブラ５の上面５ｃの一部に常に対向し、ソレノイド１４の駆動によりプランジャ１４ａおよびリセットプレート１３を介してロックタンブラ５を板鍵１２の凹部１２ｂに係合しない位置に移動することができる。
【００２１】
したがって、単一のソレノイド１４およびリセットプレート１３により、ロータ３の複数の回転位置においてロックタンブラ５による板鍵１２の抜き取りの規制を解除することができる。
【００２２】
図６は、上記鍵スイッチが適用される装置の構成を示すブロック図である。本装置は、車両３０を搭載するパレット３１を３段に積み重ねた立体駐車装置である。各パレット３１には上昇および下降のためのモータ３３および回転伝達機構３２が設けられており、コントローラ３４は操作パネル３５の操作内容に基づいてモータ３３に対して駆動信号を出力する。また、コントローラ３４には、操作パネル３５に押しボタンスイッチ３８ａ〜３８ｃおよび３９ａ，３９ｂとともに取り付けられた鍵スイッチ３６が有するソレノイド１４が接続されている。
【００２３】
鍵スイッチ３６は、板鍵が垂直にして挿入されるＯＦＦ位置から、右側に回転した位置がＯＮ位置、左側に回転した位置が非常停止位置にされている。鍵スイッチ３６をＯＮ位置にした状態で、押しボタンスイッチ３９ａ，３９ｂを操作することにより、パレット３１が昇降する。また、板鍵は、ＯＦＦ位置および非常停止位置においてソレノイド１４に電圧印加時のみ鍵スイッチ３６から引き抜くことができる。非常停止位置において鍵スイッチ３６から板鍵を引き抜くことができることとしているのは、非常停止時には操作者が異常状態の確認のためにパレット３１内に赴くことがあり、この場合に他人が鍵スイッチ３６に挿入されているままの板鍵をＯＮ位置に回転操作してパレット３１を動作させることによる事故の発生を防止するためである。即ち、非常停止時には、操作者は板鍵を鍵スイッチ３６から抜き取ってからパレット３１内に赴く。
【００２４】
図７は、上記制御部の処理手順を示すフローチャートである。コントローラ３４は、操作パネル３５の押しボタンスイッチ３８ａ〜３８ｃの操作によるパレット３１の選択、および、鍵スイッチ３６からのオン信号の入力を待機している（ｎ１，ｎ２）。押しボタンスイッチ３８の操作の後に所定時間を経過するまでに（ｎ３）鍵スイッチ３６のオン信号が入力されると、コントローラ３４は選択されたパレット３１が有するモータ３３の駆動を開始する（ｎ４）。この後、パレット３１の上昇または下降のいずれかを指示する押しボタンスイッチ３９ａ、３９ｂの操作を待機する（ｎ５，ｎ６）。
【００２５】
パレット３１の上昇を指示する押しボタンスイッチ３９ａが操作されると、回転伝達機構３２を上昇側に切り換え（ｎ７）、パレット３１の下降を指示する押しボタンスイッチ３９ｂが操作されると、回転伝達機構３２を下降側に切り換える（ｎ８）。このｎ５〜ｎ８の処理は、パレット３１が規定位置に移動するまで継続される（ｎ９）。次いで鍵スイッチ３６がオフされるのを待機し（ｎ１０）、鍵スイッチ３６がオフされるとモータ３３の電源をオフするとともに（ｎ１２）、一定時間だけ鍵スイッチ３６のソレノイド１４を駆動する（ｎ１３〜ｎ１５）。
【００２６】
パレット３１が規定位置に移動するまでの間において鍵スイッチ３６が非常停止位置に操作され、非常停止信号が入力されると、コントローラ３４はｎ１２〜ｎ１５に進む（ｎ１１）。この処理により、鍵スイッチ３６が非常停止位置に操作された場合にも、一定時間だけ鍵スイッチ３６のソレノイド１４を駆動し、この間にのみ板鍵を引き抜けるようにする。
【００２７】
以上の処理により、鍵スイッチ３４において板鍵１２がオフ位置または非常停止位置のいずれかの位置に回転され、モータ３３の駆動が停止された時から一定時間だけソレノイド１４が駆動されることにより、ロックタンブラ１３が板鍵１２の凹部１２ｂに係合しなくなり、この一定時間において板鍵１２を鍵スイッチ３４から引き抜くことができる。操作者が板鍵１２を抜き忘れ、板鍵１２が鍵スイッチ３４内に挿入されたままである場合には、一定時間経過後にソレノイド１４の駆動が停止されるため、ロックタンブラ１３が板鍵１２の凹部１２ｂに係合し、板鍵１２を鍵スイッチ３４から引き抜くことができなくなる。
【００２８】
なお、図８に示すように、ロックタンブラ８１の上面に凸部８２を形成することにより、ソレノイドが駆動されている状態でリセットプレート１３が嵌入している孔部１３ａに凸部８２が当接し、ロータ３の回転を規制し、ソレノイドが駆動されていない状態でリセットプレート１３とともにロックタンブラ８１が下方に移動し、凸部８２が孔部１３ａに当接しないようにしてロータ３の回転の規制を解除することができる。このように、ロックタンブラ８１の形状を変えるだけで板鍵の回転制御を行う場合にもこの発明に係る鍵スイッチを適用することができる。
【００２９】
【発明の効果】
この発明によれば、鍵スイッチの複数の回転位置で板鍵の抜き取りを制御する場合にも複数のソレノイドを設ける必要がなく、部品点数の削減によるコストダウンおよび小型化を実現することができ、取付スペースを小さくすることができる。また、板鍵を無理に引き抜こうとする力がソレノイドに作用することがなく、高価な部品の故障の発生を未然に防止することができる。
【図面の簡単な説明】
【図１】この発明の実施例である鍵スイッチの側面断面図である。
【図２】同鍵スイッチの平面断面図である。
【図３】同鍵スイッチの図１におけるＸ−Ｘ部の正面断面図である。
【図４】同鍵スイッチの図１におけるＸ−Ｘ部の正面断面図であり、ロックタンブラの動作状態を示す図である。
【図５】同鍵スイッチにおけるロックタンブラおよびリセットプレートの動作を示す図である。
【図６】同鍵スイッチを適用した装置の構成を示すブロック図である。
【図７】同装置の制御部の処理手順を示すフローチャートである。
【図８】同鍵スイッチの別の実施例を示す要部の断面図である。
【図９】従来の鍵スイッチの側面断面の略図である。
【符号の説明】
１−本体
２−カバー
３−ロータ
４−タンブラ
５−ロックタンブラ（抜脱規制部材）
１１−マイクロスイッチ
１２−板鍵
１３−リセットプレート（規制解除手段）
１４−ソレノイド（規制解除手段）
【図１】
0003904618.tif 000002
【図２】
0003904618.tif 000003
【図３】
0003904618.tif 000004
【図４】
0003904618.tif 000005
【図５】
0003904618.tif 000006
【図６】
0003904618.tif 000007
【図７】
0003904618.tif 000008
【図８】
0003904618.tif 000009
【図９】
0003904618.tif 000010